(57)【要約】【課題】希望する画像を短時間で検索し再生することができる画像再生装置を提供する。【解決手段】複数の画像データをグループ毎に分類して記録し、複数の画像データのうち現在どの画像データを表示できるかを示す再生バーＤ５またはファイル番号Ｄ２を表示し、カーソルキー８（ＲまたはＬ方向）が操作されている間は再生バーＤ５またはファイル番号Ｄ１をスクロールさせ、再生バーＤ５またはファイル番号Ｄ１が示す画像データの属するグループに変更があったとき、再生バーＤ５またはファイル番号Ｄ１が示す画像データを表示する。【選択図】図１０
2008245295.tif 000002
【特許請求の範囲】
【請求項１】
複数の画像データを記録する記録装置を装着可能な記録装置装着手段と、
前記複数の画像データのうち現在どの画像データを表示できるかを示すファイル番号を表示する表示手段と、
前記ファイル番号をスクロールするときのスクロール単位を選択するための第１の操作手段と、
前記ファイル番号をスクロールするための第２の操作手段と、
前記第２の操作手段が操作されている間は前記ファイル番号を前記第１の操作手段により選択されたスクロール単位でスクロールさせて前記表示手段に表示するよう制御する制御手段と、を備える、
画像再生装置。
【発明の詳細な説明】
【技術分野】
【０００１】
本発明は、デジタルカメラ等の画像再生装置およびその制御方法に関し、特に、画像再生装置に記録された画像を再生する際の検索に関するものである。
【背景技術】
【０００２】
近年、メモリーカードの大容量化に伴い、デジタルカメラで記録できる画像数が増大してきた。そのため、デジタルカメラで記録済みの画像を検索して再生する際、検索対象画像が多いため、再生するまでに多くの時間を要していた。
【０００３】
上記問題を解決するために、希望する画像を短時間で検索し再生する画像再生装置（デジタルカメラ）が特許文献１に開示されている。
【０００４】
特許文献１に記載のデジタルカメラは、コマ送りキーおよびコマ戻しキーを有している。操作者がコマ送りキーを所定時間以上押下すると、早送りモードになる。早送りモードになると、液晶モニターの画面に、サムネイルおよび再生バーが表示される。
【０００５】
操作者がコマ送りキーを押下し続けている間、ファイル番号順に再生バーがスクロールし、再生バーが示す画像のサムネイルが自動再生される。この間、サムネイルおよび再生バーの背景は、早送りモードに移行した時の一コマ再生画像で停止した画像を表示する。
【０００６】
操作者がコマ送りキーの押下を解除すると、そのときに再生バーが示す画像を自動再生して早送りモードを終了する。
【０００７】
以上のように、特許文献１に記載のデジタルカメラは、早送りモードにおいて再生バーおよび再生バーが示す画像のサムネイルを表示するので、操作者が現在どの画像を再生できるのかを把握できるため、希望する画像の検索および再生が容易である。そのため、希望する画像を短時間で検索し再生することができる。
【特許文献１】特開２００１−２０９４８２号公報（第１５頁、第２４図）
【発明の開示】
【発明が解決しようとする課題】
【０００８】
しかしながら上記従来の画像再生装置では、再生バーは１画像分づつスクロールされ、それに伴ってサムネイルも１画像分づつスクロールされる。そのため、画像再生装置で記録済みの画像が多い場合には、再生するまでに多くの時間を要していた。
【０００９】
また、早送りモード時に再生バーやサムネイルを表示するのみでは、操作者は希望する画像が再生バーのどの部分に存在するのかを把握し難かった。そのため、操作者が希望する画像を検索するのに不便であり、多くの時間を要していた。
【００１０】
本発明は上記従来の問題点を解決するもので、希望する画像を短時間で検索し再生することができる画像再生装置を提供することを目的とする。
【課題を解決するための手段】
【００１１】
この目的を達成するために第１の発明に係る画像再生装置は、複数の画像データを記録する記録装置を装着可能な記録装置装着手段と、複数の画像データのうち現在どの画像データを表示できるかを示すファイル番号を表示する表示手段と、ファイル番号をスクロールするときのスクロール単位を選択するための第１の操作手段と、ファイル番号をスクロールするための第２の操作手段と、第２の操作手段が操作されている間はファイル番号を第１の操作手段により選択されたスクロール単位でスクロールさせて表示手段に表示するよう制御する制御手段と、を備える。
【００１２】
この構成により、スクロール再生動作時のスクロール単位を変更できるので、希望する画像に速く変更させることができる。
【発明の効果】
【００１３】
以上のように本発明は、希望する画像を短時間で検索し再生することができるという優れた効果が得られる。
【発明を実施するための最良の形態】
【００１４】
以下、本発明の実施の形態について、図１〜１１を用いて説明する。
【００１５】
（実施の形態１）
図１は、本発明の実施の形態にかかるデジタルカメラ１の背面図である。図１において、デジタルカメラ１は、ファインダ２、液晶モニタ３、モードダイヤル４、シャッターボタン５、電源スイッチ６、メニューボタン７およびカーソルキー８を備える。
【００１６】
ファインダ２および液晶モニタ３は、デジタルカメラ１で撮像した画像データまたはデジタルカメラに記録されている画像データを表示する表示手段である。また、デジタルカメラ１の設定等を表示する。モードダイヤル４は、後述するシステム制御用ＣＰＵ１３の動作モードを設定するための操作手段である。シャッターボタン５は、システム制御用ＣＰＵ１３に対して撮像を開始するよう指示する操作手段である。電源スイッチ６は、デジタルカメラ１の駆動電源を入切りするためのスイッチである。メニューボタン７は、デジタルカメラ１の動作設定をする際に液晶モニタ３またはファインダ２に各種メニュー画面を表示するための操作手段である。カーソルキー８は、液晶モニタ３に表示されるカーソルを移動するための操作手段である。
【００１７】
図２は、本発明の実施の形態１にかかるデジタルカメラ１の構成を示すブロック図である。図２において、撮像素子９は光学系により結像された被写体画像を電気信号に変換して画像データを生成する。Ａ／Ｄコンバータ１０はアナログ信号である画像データをデジタル信号に変換する。画像処理回路１１は、Ａ／Ｄコンバータ１０で変換された画像データについて、ＹＣ変換、解像度変換、圧縮変換等の画像処理を行う。画像メモリ１７は、画像処理回路１１が画像処理を行う際のワークエリアとして画像データを一時的に記憶する。撮像手段２１は、撮像素子９、Ａ／Ｄコンバータ１０、画像処理回路１１、画像メモリ１７から構成される。
【００１８】
操作手段１４は、モードダイヤル４、シャッターボタン５、電源スイッチ６、メニューボタン７、カーソルキー８などを含む。
【００１９】
システム制御用ＣＰＵ１３は、操作手段１４によって入力される制御信号に基づき、システム制御用メモリ１９をワークエリアとして使用しつつ動作し、撮像手段２１等のデジタルカメラ１全体を制御する制御手段である。システム制御用ＣＰＵ１３は、ＬＳＩおよびＬＳＩに記憶されるコンピュータプログラム等から構成される。システム制御用メモリ１９は、ＳＲＡＭ、ＤＲＡＭ、フラッシュメモリ等の半導体メモリ等から構成される。
【００２０】
カードスロット２０は、メモリーカード１８を装着可能な読み取り手段である。メモリーカード１８は、フラッシュメモリ等から構成されるカード状の記憶装置である。システムバス１６は、制御信号や画像データを伝送するためのバスである。
【００２１】
なお、デジタルカメラ１は本発明の画像再生装置の一例である。メモリーカード１８は本発明の記録装置の一例である。カードスロット２０は本発明の記録装置装着手段の一例である。液晶モニタ３は本発明の表示手段の一例である。カーソルキー８およびシステム制御用ＣＰＵ１３は本発明の選択手段の一例である。カーソルキー８は本発明の操作手段の一例である。システム制御用ＣＰＵ１３は本発明の制御手段の一例である。
【００２２】
以上のように構成されたデジタルカメラ１がメモリーカード１８内に記録されている画像データを再生するときの動作について図１〜６を用いて説明する。ここで、図３は本発明の実施の形態１にかかるデジタルカメラ１のスクロール再生時の動作を説明するためのフローチャートである。図４は、画像再生時の液晶モニタ３上の画面を示す模式図である。図５は、カーソルキー８をＵ方向またはＤ方向に押下した際のスクロール単位の変移を示す状態遷移図である。図６は、スクロール単位を１０枚にしたときの液晶モニタ３上の画面を示す模式図である。
【００２３】
まず、電源スイッチ６によってデジタルカメラ１の電源を立ち上げる。そして、モードダイヤル４によってデジタルカメラ１を再生モードにする（Ｓ１）。すると、システム制御用ＣＰＵ１３は、メモリカード１８の有無を確認する。このとき、システム制御用ＣＰＵ１３は、メモリカード１８がカードスロット２０に装着されていないときは、液晶モニタ３上に「カードがありません」という表示をさせて、操作者にメモリカード１８が装着されていないことを知らせる。
【００２４】
一方、システム制御用ＣＰＵ１３は、メモリーカード１８がカードスロット２０に装着されているときは、メモリーカード１８内の情報を読み取り、再生可能な画像データが存在するかどうかの確認を行う。再生する画像データがメモリーカード１８に記録されていないときは、液晶モニタ３上に「再生する画像がありません」という表示をさせて、操作者にメモリーカード１８内に再生可能な画像データがないことを知らせる。再生する画像データがメモリーカード１８に記録されているときは、図４のように液晶モニタ３上に画像データを表示する（Ｓ２）。
【００２５】
また、システム制御用ＣＰＵ１３は、再生画像に重畳させた状態で、再生画像のファイル番号Ｄ１および総画像枚数Ｄ２をメモリーカード１８から読み出して液晶モニタ３に表示する。図４において、ファイル番号Ｄ１は「５１４」であり、総画像枚数Ｄ２は「１０１４」である。
【００２６】
次に、カーソルキー８をＵ方向またはＤ方向に押すと、再生画像をスクロールする際のスクロール単位を変更できる（Ｓ３）。図５に示すように、デジタルカメラ１の電源投入時のデフォルトとして、スクロール単位は１枚に設定される。この状態で、カーソルキー８をＵ方向に一度押すと、スクロール単位は１０枚に設定される。さらにカーソルキー８をＵ方向に押すとスクロール単位は１００枚、１０００枚と順次変更できる。そして、スクロール単位が１０００枚になった後、さらにカーソルキー８をＵ方向に一度押すとスクロール単位は１枚に戻る。一方、この状態で、カーソルキー８をＤ方向に押すと、これとは逆の順序でスクロール単位は変更される。
【００２７】
但し、システム制御用ＣＰＵ１３は、スクロール単位を総画像枚数以上には指定できないよう制御する。例えば、システム制御用ＣＰＵ１３は、総画像枚数が９００枚であった場合には、スクロール単位として１０００枚を指定することは出来ないよう制御する。この場合、スクロール単位が１００枚である状態で、カーソルキー８をＤ方向に押すと、スクロール単位は１０００枚になるのではなく、１枚に戻る。
【００２８】
また、ステップＳ３において、スクロール単位として１０枚、１００枚または１０００枚を設定した場合、システム制御用ＣＰＵ１３は、液晶モニタ３に表示したファイル番号Ｄ１の２桁目、３桁目または４桁目にアンダーラインを表示する。これにより、操作者はスクロール単位を適確に把握することができる。例えば、スクロール単位が１０枚である場合、システム制御用ＣＰＵ１３は、図６に示すように、総画像枚数Ｄ２の２桁目にアンダーラインを表示するよう制御する。
【００２９】
スクロール単位を設定した（Ｓ３）後、カーソルキー８をＲ方向に押すと、システム制御用ＣＰＵ１３は、図４に示すファイル番号Ｄ１をスクロール単位分だけ昇順に変更する。例えば、図４において、スクロール単位として１枚を設定されている場合、システム制御用ＣＰＵ１３は、ファイル番号Ｄ１「５１４」を「５１５」に変更する。スクロール単位として１０枚を設定している場合、システム制御用ＣＰＵ１３は、ファイル番号Ｄ１「５１４」を「５２４」に変更する。
【００３０】
次に、カーソルキー８をＲ方向に押していた状態を所定時間以内（図３においては２秒以内）に解除すると、すなわちカーソルキー８から操作者が指を離すと（ステップＳ４におけるＮｏの場合）、システム制御用ＣＰＵ１３は、ステップＳ４で変更したファイル番号Ｄ１が示す画像データをメモリーカード１８から読み出して、液晶モニタ３に表示させる（Ｓ７）。
【００３１】
一方、ステップＳ４において、操作者がカーソルキー８をＲ方向に２秒以上押下すると、システム制御用ＣＰＵ１３は、設定されているスクロール単位でファイル番号Ｄ１を昇順に連続的に変更し始める。すなわち、システム制御用ＣＰＵ１３は、ファイル番号Ｄ１を昇順にスクロールする。具体的には、システム制御用ＣＰＵ１３は、カーソルキー８がＲ方向に２秒以上押下されていることを検知すると、設定されているスクロール単位でファイル番号Ｄ１を昇順に変更する（Ｓ５）。ファイル番号Ｄ１の変更後、システム制御用ＣＰＵ１３は、カーソルキー８の押下が解除されたかどうかを検知し、押下が解除されていない場合には、ステップＳ５に戻って、さらにファイル番号Ｄ１を変更する。従って、カーソルキー８が押下されている間は、システム制御用ＣＰＵ１３は連続的にファイル番号Ｄ１を変更し続ける。そして、カーソルキー８の押下が解除されると（ステップＳ６のＹＥＳの場合）、システム制御用ＣＰＵ１３は、ファイル番号Ｄ１が示す画像データをメモリーカード１８から読み出して、液晶モニタ３に表示させる（Ｓ７）。
【００３２】
次に、ステップＳ７において、再生画像を表示した後、ステップＳ３に戻り、スクロール単位を変更できる状態になる。
【００３３】
なお、上記では、ステップＳ４においてカーソルキー８をＲ方向に押下する場合を説明したが、カーソルキー８をＬ方向に押下した場合には、システム制御用ＣＰＵ１３は、設定されているスクロール単位分だけファイル番号Ｄ１を降順に変更する。その他の動作は、Ｒ方向に押下した場合と同様である。
【００３４】
また、上記では、スクロール単位の設定を予め決められた値（１枚、１０枚、１００枚または１０００枚）のうちいずれかを設定するよう制御されていたが、システム制御用ＣＰＵ１３は、総画像枚数Ｄ２に基づいて、スクロール単位を設定するよう制御しても良い。例えば、総画像枚数Ｄ２／一定数をスクロール単位として設定可能なように制御しても良い。
【００３５】
以上のように本発明の実施の形態１にかかるデジタルカメラ１によれば、複数の画像データを記録するメモリーカード１８を装着可能なカードスロット２０と、複数の画像データのうち現在どの画像データを表示できるかを示すファイル番号を表示する液晶モニタ３と、ファイル番号をスクロールするときのスクロール単位を選択するカーソルキー８（ＵまたはＤ方向）およびシステム制御用ＣＰＵ１３からなる選択手段と、ファイル番号をスクロールさせるためのカーソルキー８（ＲまたはＬ方向）と、カーソルキー８（ＲまたはＬ方向）が操作されている間はファイル番号をカーソルキー８（ＵまたはＤ方向）で選択されたスクロール単位でスクロールさせて液晶モニタ３に表示し、カーソルキー８（ＲまたはＬ方向）の操作が解除されたとき、ファイル番号が示す画像データをメモリーカード１８から読み出して液晶モニタ３に表示するよう制御するシステム制御用ＣＰＵ１３と、を有する。この構成により、スクロール再生動作時のスクロール単位を変更できるので、希望する画像に速く変更させることができる。
【００３６】
また、本発明の実施の形態１にかかるデジタルカメラ１によれば、カーソルキー８（ＵまたはＤ方向）およびシステム制御用ＣＰＵ１３からなる選択手段は、メモリーカード１８に記録されている画像データの総量に基づいて、スクロール単位を決定することを特徴とする。この構成により、画像データの総量に応じて適切なスクロール単位を選択できる。例えば、
スクロール単位＝メモリーカード１８に記録されている画像データの総量／一定数
のようにスクロール単位を求めることにより、画像データの総量が変化しても一定のスクロール回数で、全画像データのスクロールを完了させることができる。
【００３７】
（実施の形態２）
本発明の実施の形態１では、システム制御用ＣＰＵ１３は、希望する再生画像を検索する際の情報として、ファイル番号Ｄ１および総画像枚数Ｄ２のみを表示することとした。これに対して、本発明の実施の形態２では、図７に示すように、システム制御用ＣＰＵ１３は、ファイル番号Ｄ１、総画像枚数Ｄ２の他に、再生バーＤ５を表示するよう制御する。本発明の実施の形態２にかかるデジタルカメラ１のその他の構成や動作については、本発明の実施の形態１にかかるデジタルカメラ１と同様であるため説明を省略する。
【００３８】
図７は、画像再生時の液晶モニタ３上の画面を示す模式図である。図７において、再生バーＤ５は、バー部Ｄ５ａおよびポインタＤ５ｂから構成される。ポインタＤ５ｂは、ファイル番号Ｄ１の値に応じて位置を変える。すなわち、ポインタＤ５ｂは、ファイル番号Ｄ１が大きくなるほどバー部Ｄ５ａの右側に移動し、小さくなるほど左側に移動する。
【００３９】
このように、再生バーＤ５を表示することにより、操作者は、ファイル番号Ｄ１をどの程度スクロールすれば希望する画像を再生することができるかを容易に把握することができる。
【００４０】
（実施の形態３）
本発明の実施の形態１では、システム制御用ＣＰＵ１３がファイル番号Ｄ１のスクロールを開始すると、背景の再生画像がスクロール開始時の画像で停止する。これに対して、本発明の実施の形態３にかかるデジタルカメラ１は、画像データを複数のグループに分類して記憶し、スクロール中に、ファイル番号Ｄ１が示す画像データの属するグループに変更があったとき、背景の再生画像をそのときファイル番号が示す画像に変更する。これにより、操作者は、どの程度スクロールすることにより、希望する画像を再生できるかを把握しやすくなる。
【００４１】
なお、本発明の実施の形態３にかかるデジタルカメラ１の構成は、図１および図２に示す本発明の実施の形態１にかかるデジタルカメラ１と同様であるため、説明を省略する。
【００４２】
以下、本発明の実施の形態３にかかるデジタルカメラ１の動作を図１、２、８〜１０を用いて説明する。図８は、本発明の実施の形態３にかかるデジタルカメラ１のスクロール再生時の動作を説明するためのフローチャートである。図９および図１０は、本発明のデジタルカメラ１のスクロール再生時の液晶モニタ３の表示画面を示す模式図である。
【００４３】
図８において、ステップＳ１〜Ｓ５については、本発明の実施の形態１にかかるデジタルカメラ１と同様の動作であるため説明を省略する。
【００４４】
ファイル番号Ｄ１を変更（Ｓ５）後、システム制御用ＣＰＵ１３は、そのファイル番号Ｄ１が示す画像データの属するフォルダを検知する。そして、そのフォルダが前回のファイル番号Ｄ１が示す画像データの属するフォルダと異なるかどうかを判断する（Ｓ８）。フォルダに変更があった場合、システム制御用ＣＰＵ１３は、そのときのファイル番号Ｄ１が示す画像データをメモリーカード１８から読み出して、背景画像として液晶モニタ３に表示させる。一方、フォルダに変更がない場合、システム制御用ＣＰＵ１８は、背景画像をそのまま表示させて、カーソルキー８の押下が解除されたかどうかを検知する（Ｓ６）。
【００４５】
ここで、メモリーカードは、図９に示すように、画像データをディレクトリ構造として管理する。図９において、ｒｏｏｔは、ルートディレクトリである。ＤＣＩＭは、ＤＣＦ規格により規定されるディレクトリである。１００＿ＰＡＮＡ、１０１＿ＰＡＮＡ等の階層はフォルダである。Ｐ１０００００１．ＪＰＧ等は、画像データが格納された画像ファイルのファイル名である。フォルダはフォルダ名の昇順に並べられ、各フォルダ内の画像ファイルも画像ファイル名の昇順に並べられる。そして、システム制御用ＣＰＵ１３は、フォルダ名の数字が小さいフォルダ内に分類されている画像ファイルについて、通し番号としてファイル番号を付し、画像ファイルと対応させて認識する。そして、そのフォルダ内の画像ファイルについてファイル番号を付した後、次のフォルダに分類されている画像ファイルについてファイル番号を付す。このようにして、システム制御用ＣＰＵ１３は、全画像ファイルにファイル番号を付す。従って、画像ファイルのファイル名とファイル番号とは必ずしも一致しない。なお、各画像ファイルは、ユーザーの操作により、属するフォルダを変更することができる。
【００４６】
以下、一例として、ファイル番号Ｄ１が「５１４」の画像データを再生している状態で、スクロールを開始した場合のデジタルカメラ１の動作を説明する。図９において、ファイル番号Ｄ１が「５１４」の画像データは、画像ファイル名「Ｐ１０００８２４．ＪＰＧ」に格納されている。そして、画像ファイル「Ｐ１０００８２４．ＪＰＧ」はフォルダ名「１０３＿ＰＡＮＡ」に分類されている。システム制御用ＣＰＵ１３は、この画像データを液晶モニタ３に表示させた（Ｓ１、Ｓ２）後、操作者がカーソルキー８をＲ方向に押下すると、ファイル番号Ｄ１を１枚だけ増加させる（Ｓ４）。
【００４７】
このときの液晶モニタ３の表示画面を図１０に示す。図１０において、表示されるファイル番号Ｄ１は、「５１４」から１だけ増加した「５１５」である。再生バーＤ５のバー部Ｄ５ａは、各フォルダ毎に区切られ、区切られた各領域は異なる表示態様で表示される。バー部Ｄ５ａの左側にフォルダ名の数字の小さいフォルダが配置され、フォルダ名の数字が大きい程右側に配置される。ポインタＤ５ｂは、ファイル番号Ｄ１が示す画像データの記憶されている位置を示す。今、ファイル番号Ｄ１が「５１５」の画像ファイルは、４番目のフォルダに分類されているので、ポインタＤ５ｂはバー部Ｄ５ａの４番目の領域を示している。
【００４８】
この状態で、操作者がカーソルキー８を２秒以上押し続けると、システム制御用ＣＰＵ１３は、ステップＳ５に移行して、スクロール再生動作が開始する。このスクロール再生中はフォルダが変わったかどうかを逐次チェックする。そして、ファイル番号Ｄ１が「５６３」になったとき、そのファイル番号Ｄ１が示す画像ファイル「Ｐ１００００５６．ＪＰＧ」の属するフォルダが「１０４＿ＰＡＮＡ」に変わるので、ステップＳ９に移行する。ステップＳ９において、システム制御用ＣＰＵ１３は、そのときのファイル番号Ｄ１（「５６３」）が示す画像ファイル「Ｐ１００００５６．ＪＰＧ」に格納された画像データを、メモリーカード１８から読み出して液晶モニタ３に表示させる。このときの液晶モニタ３の表示画面は図１１に示すものとなる。画像Ｄ４は画像ファイル「Ｐ１００００５６．ＪＰＧ」に格納された画像データを表示したものである。
【００４９】
図８において、ステップＳ６およびステップＳ７は、本発明の実施の形態１にかかるデジタルカメラ１の動作と同様であるため（図３のＳ６、Ｓ７）、説明を省略する。
【００５０】
なお、上記では、システム制御用ＣＰＵ１３は、ファイル番号Ｄ１または再生バーＤ５が示す画像データの属するフォルダが変わると、そのときの画像データを表示するよう制御したが、画像データの記録時の日付順にファイル番号を付し、スクロール時にその日付が変わると画像データを表示するよう制御しても良い。また、画像データは、その他のグループに分類するようにしても良い。
【００５１】
また、上記では再生バーＤ５をフォルダ毎に区切り、区切られた領域を異なる態様で表示すると説明したが、この態様は特に限定されるものではなく、ハッチングや色彩、数字の記入等によりフォルダ間の区別を付けることができれば良い。
【００５２】
以上のように本発明の実施の形態３にかかるデジタルカメラ１によれば、複数の画像データをグループ毎に分類して記録するメモリーカード１８を装着可能なカードスロット２０と、複数の画像データのうち現在どの画像データを表示できるかを示す再生バーＤ５またはファイル番号Ｄ１を表示する液晶モニタ３と、再生バーＤ５またはファイル番号Ｄ１をスクロールさせるためのカーソルキー８（ＲまたはＬ方向）と、カーソルキー８（ＲまたはＬ方向）が操作されている間は再生バーＤ５またはファイル番号Ｄ１をスクロールさせ、再生バーＤ５またはファイル番号Ｄ１が示す画像データの属するグループに変更があったとき、再生バーＤ５またはファイル番号Ｄ１が示す画像データをメモリーカード１８から読み出して液晶モニタ３に表示するよう制御するシステム制御用ＣＰＵ１３と、を有する。この構成により、再生バーＤ５またはファイル番号Ｄ１が示す画像データの属するグループに変更があったときは、そのときの画像データが液晶モニタ３に表示される。そのため、操作者は、画像データの属するグループが変わったことを把握しやすい。そうすると、操作者は、希望する画像データがどのグループに分類されているかを覚えていれば、現状からどの程度スクロールすることにより希望する画像に到達するかを把握しやすい。
【００５３】
また、本発明の実施の形態３にかかるデジタルカメラ１によれば、グループが画像データを格納するためのフォルダであることを特徴とする。この構成により、再生バーＤ５またはファイル番号Ｄ１が示す画像データの属するフォルダに変更があったときは、そのときの画像データが液晶モニタ３に表示される。そのため、操作者は、画像データの属するフォルダが変わったことを把握しやすい。また、操作者は、希望する画像の格納場所をフォルダ毎に記憶している場合が多いので、希望する画像を容易に再生することができる。
【００５４】
また、本発明の実施の形態３にかかるデジタルカメラ１は、グループが画像データを取得したときの日付であることを特徴とする。この構成により、操作者が希望する画像の格納場所を取得日付毎に記憶している場合、希望する画像を容易に再生することができる。
【００５５】
また、本発明の実施の形態３にかかるデジタルカメラ１によれば、複数の画像データをグループ毎に分類して記録するメモリーカード１８を装着可能なカードスロット２０と、複数の画像データのうち現在どの画像データを表示できるかを示し、グループ毎に区切られた再生バーＤ５を表示する液晶モニタ３と、再生バーＤ５をスクロールさせるためのカーソルキー８（ＲまたはＬ方向）と、カーソルキー８（ＲまたはＬ方向）が操作されている間は再生バーＤ５をスクロールさせ、カーソルキー８（ＲまたはＬ方向）の操作が解除されたとき、再生バーＤ５が示す画像データをメモリーカード１８から読み出して液晶モニタ３に表示するよう制御するシステム制御用ＣＰＵ１３と、を有する。この構成により、再生バーＤ５が示す画像データの属するグループが視覚的に表示されるため、操作者は、そのグループを容易に把握できる。
【００５６】
また、本発明の実施の形態３にかかるデジタルカメラ１によれば、区切られた再生バーＤ５の各領域を異なる態様で表示することを特徴とする。この構成により、各グループ間の差異を明確にできる。
【産業上の利用可能性】
【００５７】
本発明にかかるデジタルカメラおよびその制御方法は、記録済みの静止画像を順次再生する機能を有する電子機器であれば適用できる。例えば、デジタルスチルカメラの他に、携帯電話機、ＰＨＳ端末、ＰＤＡ端末、カーナビゲーションシステム端末等の電子機器に適用できる。
【図面の簡単な説明】
【００５８】
【図１】本発明の実施の形態１〜３におけるデジタルカメラの背面図
【図２】本発明の実施の形態１〜３におけるデジタルカメラの構成を示すブロック図
【図３】本発明の実施の形態１または２におけるデジタルカメラの動作を説明するためのフローチャート
【図４】本発明の実施の形態１におけるデジタルカメラの液晶モニタ上の表示画面を示す模式図
【図５】本発明の実施の形態１におけるデジタルカメラの動作を説明するための状態遷移図
【図６】本発明の実施の形態１におけるデジタルカメラの液晶モニタ上の表示画面を示す模式図
【図７】本発明の実施の形態２におけるデジタルカメラの液晶モニタ上の表示画面を示す模式図
【図８】本発明の実施の形態３におけるデジタルカメラの動作を説明するためのフローチャート
【図９】本発明の実施の形態１〜３におけるデジタルカメラに記録された画像ファイルのディレクトリ構造を示す模式図
【図１０】本発明の実施の形態３におけるデジタルカメラの液晶モニタ上の表示画面を示す模式図
【図１１】本発明の実施の形態３におけるデジタルカメラの液晶モニタ上の表示画面を示す模式図
【符号の説明】
【００５９】
１    デジタルカメラ
３    液晶モニタ
６    システム制御手段
８    カーソルキー
１３    システム制御用ＣＰＵ
１４    操作手段
１８    メモリーカード
２０    カードスロット
Ｄ１    ファイル番号
Ｄ２    総画像枚数
Ｄ５    再生バー表示
【図１】
2008245295.tif 000003
【図２】
2008245295.tif 000004
【図３】
2008245295.tif 000005
【図４】
2008245295.tif 000006
【図５】
2008245295.tif 000007
【図６】
2008245295.tif 000008
【図７】
2008245295.tif 000009
【図８】
2008245295.tif 000010
【図９】
2008245295.tif 000011
【図１０】
2008245295.tif 000012
【図１１】
2008245295.tif 000013